(57)【要約】【課題】  １枚のシートの中の必要な領域だけを場所をとらずに広げることができ、別の領域への移動も時間をかけずにできるようにすること。【解決手段】  図１の様に、矩形シートを、山折りにより複数の矩形領域に分割し、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、これらの折り目に従って折り畳むことにより、広げた矩形領域に隣り合う矩形領域への移動は、本の頁をめくるような手軽さで、しかも、横方向だけでなく縦方向にも、瞬時に行うことができる。【選択図】図１
2010137532.tif 000002
【特許請求の範囲】
【請求項１】
折り畳まれる矩形のシートにおいて、山折りにより、縦方向と横方向それぞれに均等に分割される複数の矩形領域があり、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、これらの折り目に従って折り畳むことにより提供できる、折り畳みシート。
【請求項２】
折り畳まれる矩形のシートにおいて、山折りにより、縦方向と横方向それぞれに均等に分割される複数の矩形領域があり、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、さらに、最上段と最下段それぞれのＰを通る直線は、山折り・谷折りのどちらにも対応できる折り目を設けておき、これらの折り目に従って折り畳むことにより提供できる、折り畳みシート。
【請求項３】
折り畳まれる矩形のシートにおいて、山折りにより、縦方向と横方向それぞれに均等に分割される複数の矩形領域があり、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、これらの折り目に従って折り畳むことができるが、これを誰でも折り畳むことができるように折り方を示した折り畳みシート。
【発明の詳細な説明】
【技術分野】
【０００１】  本発明は、全体を広げずに使用できる折り畳みシートに関する。また、折り畳みシートは、その表面に二次元的な情報を記載して、例えば地図や案内図、パンフレット、名刺、ノート、便箋、絵本、カレンダー、包装紙等として使用することができる。
【背景技術】
【０００２】  従来の折り畳みシートとしては、矩形シートを折り線によって複数の領域に区画し、そのうちの２つの領域の内側に他の領域が折り込まれるものがあった。（特許文献１）【０００３】  また、屏風畳みの状態の地図を、見る時に全体を一気に広げる折り畳み地図があった。【０００４】  また、スリットの入った折り畳み式のシートもあった。（特許文献２）【０００５】
【特許文献１】  特開２００５−８１７２７号公報
【特許文献２】  実登３１１４８２５号公報
【発明の開示】
【発明が解決しようとする課題】
【０００６】  以上に述べた従来の折り畳みシートでは、特許文献１の場合、区画される領域の数が決まっているため、全体をコンパクトにすると、シートの大きさも自ずと決まってしまう。
また、従来の折り畳み地図は、使用時に全体を広げるため、場所をとる物であった。
特許文献２のスリットの入った折り畳み地図は、場所はとらないが、すべての頁が隣り合っている訳ではないため、瞬時に頁移動できる訳ではなかった。【０００７】  本発明は、このような従来の構成が有していた問題を解決しようとするものであり、使う時に場所をとらず、広げた頁に続く次の頁に瞬時に移動できるよう構成されたものである。
【問題を解決するための手段】
【０００８】  請求項１の本発明による折り畳みシートは、折り畳まれる矩形のシートにおいて、山折りにより、縦方向と横方向それぞれに均等に分割される複数の矩形領域があり、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、これらの折り目に従って折り畳むことを特徴とする。
【０００９】  請求項２の本発明による折り畳みシートは、折り畳まれる矩形のシートにおいて、山折りにより、縦方向と横方向それぞれに均等に分割される複数の矩形領域があり、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、さらに、最上段と最下段それぞれのＰを通る直線は、山折り・谷折りのどちらにも対応できる折り目を設けておき、これらの折り目に従って折り畳むことを特徴とする。
【００１０】  請求項３の本発明による折り畳みシートは、折り畳まれる矩形のシートにおいて、山折りにより、縦方向と横方向それぞれに均等に分割される複数の矩形領域があり、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、これらの折り目に従って折り畳むことができるが、これを誰でも折り畳むことができるように折り方を示したことを特徴とする。
【発明の効果】
【００１１】  本発明の折り畳みシートを、例えば地図に利用した場合、使う時に大きく広げて場所をとることがなく、広げた頁に続く次の頁は、必ず、その頁に隣り合う上下左右の頁になる為、瞬時に次の頁に移動できるという効果があり、特に瞬時の判断が求められるドライブ中のナビゲーションに利用できる。
【００１２】  また、本発明の折り畳みシートは、予め折り目がつけられている為、使用中にできる折皺をきれいな折り目にすることができる。
【００１３】  また、本発明の折り畳みシートは、折り方を示してある為、折らずに使用することも折って使用することもでき、自分で折り畳む楽しみを、提供することができる。
【発明を実施するための最良の形態】
【００１４】  以下、本発明の実施の形態を図１に基づいて説明する。【００１５】  請求項１に記載の折り畳みシートは、折り畳まれる矩形のシートにおいて、山折りにより、縦方向と横方向それぞれに均等に分割される複数の矩形領域があり、その矩形領域のそれぞれの中心点をＰとし、最上段においては、Ｐより上方向に谷折りＰより下方向に山折りＰより下対角線方向に谷折りし、中段においては、Ｐより上方向に谷折りＰより下方向に山折り対角線を谷折りし、最下段においては、Ｐより上下方向ともに谷折りＰより上対角線方向に谷折りし、これらの折り目に従って折り畳むことにより提供できる、折り畳みシートである。【００１６】  本発明の折り畳みシートは、縦にも横にも矩形領域の数を増減することで、頁数や大きさを自由に変えることができる。【００１７】  本発明の折り畳みシートに使われる素材としては、紙やコート紙の他に、例えば、薄いプラスチック板や金属板、布、ビニールコーティングされた布や、シートと貼り合わせた木・ガラスも使用可能である。【００１８】  尚、図１及び図２においては、山折り線と谷折り線を区別できるよう、山折り線を一点鎖線で、谷折り線を点線で示している。
【図面の簡単な説明】
【００１９】
【図１】  本発明の請求項１による折り方を示した展開図である。
【図２】  本発明の請求項２による折り方を示した展開図である。
【図３】  折ってから少し広げた状態を示した最上段の図である。
【図４】  折ってから少し広げた状態を示した最上段と中段の図である。
【図５】  折ってから少し広げた状態を示した中段と最下段の図である。
【図６】  使用時の斜視図であり、左右に頁移動中の図である。
【図７】  使用時の斜視図であり、広げた頁の図である。
【図８】  使用時の斜視図であり、最上段から中段へ頁移動中の図である。
【図９】  使用時の斜視図であり、中段から最下段へ頁移動中の図である。
【符号の説明】
【００２０】１  折り畳まれる矩形のシート
２  複数の矩形領域に分割する山折り線
３  中心点（Ｐ）
４  最上段の折り目線
５  最下段の折り目線
Ａ  最上段
Ｂ  中段
Ｃ  最下段
【図１】
2010137532.tif 000003
【図２】
2010137532.tif 000004
【図３】
2010137532.tif 000005
【図４】
2010137532.tif 000006
【図５】
2010137532.tif 000007
【図６】
2010137532.tif 000008
【図７】
2010137532.tif 000009
【図８】
2010137532.tif 000010
【図９】
2010137532.tif 000011